【手続補正書】
【提出日】平成19年7月7日(2007.7.7)
【手続補正１】
【補正対象書類名】特許請求の範囲
【補正対象項目名】全文
【補正方法】変更
【補正の内容】
【特許請求の範囲】
【請求項１】
飲料容器本体１０内部に飲料水１１を収納し、飲料容器本体瓶口１０ａには着脱自在にねじ着されるキャップ１を備えており、前記キャップ１には混合物５を収納する収納容器３を備えたキャップ構造において、
前記キャップ１は大径円筒部１ｂの上部に小径円筒部１ａを結合した形状で、前記大径円筒部１ｂ内部には、混合物５を密閉収納するための下方に突出した有底で円筒形状の収納容器３が設けられており、前記収納容器３の底面３ｄには機械的弱点部３ｅが形成されているとともに、その機械的弱点部３ｅ近傍には上方に突出した押圧棒３ａが設けられ、しかも前記収納容器３は前記キャップ１の大径円筒部１ｂの上端部近傍の円周側より中心部へ向かって延長形成される爪部１ｈと前記収納容器３の上面部の円周端部より外側へ向かって延長形成される係止部３ｈにより保持されており、前記押圧棒３ａの上面に配置される押圧キャップ４は前記キャップ１の小径円筒部１ａ内部に収納され前記キャップ１の小径円筒部１ａを被冠して配置される開閉蓋２に設けられたねじ部２ａに対して進退自在にねじ着されて、さらに前記キャップ１の小径円筒部１ａの内部にはガイド突起１ｄを備えており、前記押圧キャップ４の外周側面に設けられた溝部４ａに前記ガイド突起１ｄが勘合することで、前記押圧キャップ４の回転が規制され、前記開閉蓋２を回動することにより前記押圧キャップ４を下方に押し下げ、前記収納容器３の押圧棒３ａが押圧され底面３ｄの機械的弱点部３ｅを破断して開口させて、収納容器３の混合物５を飲料水１１中に落下させるようにしたことを特徴とする飲料容器のキャップ構造。
【請求項２】
上記において収納容器３の機械的弱点部３ｅが破壊される時にはキャップ１の小径円筒部１ａにおける下端部１ｇと前記押圧キャップ４の側周面４ｅが密接して密着状態を形成する請求項１のキャップ構造
【手続補正２】
【補正対象書類名】明細書
【補正対象項目名】０００７
【補正方法】変更
【補正の内容】
【０００７】
本発明は、上記問題を解決するためにも新鮮なお茶が簡単な操作で飲用できる構成を提供するものであり、上記目的を達成するために第１の発明は、飲料容器本体１０内部に飲料水１１を収納し、飲料容器本体瓶口１０ａには着脱自在にねじ着されるキャップ１を備えており、前記キャップ１には混合物５を収納する収納容器３を備えたキャップ構造において、
前記キャップ１は大径円筒部１ｂの上部に小径円筒部１ａを結合した形状で、前記大径円筒部１ｂ内部には、混合物５を密閉収納するための下方に突出した有底で円筒形状の収納容器３が設けられており、前記収納容器３の底面３ｄには機械的弱点部３ｅが形成されているとともに、その機械的弱点部３ｅ近傍には上方に突出した押圧棒３ａが設けられ、しかも前記収納容器３は前記キャップ１の大径円筒部１ｂの上端部近傍の円周側より中心部へ向かって延長形成される爪部１ｈと前記収納容器３の上面部の円周端部より外側へ向かって延長形成される係止部３ｈにより保持されており、前記押圧棒３ａの上面に配置される押圧キャップ４は前記キャップ１の小径円筒部１ａ内部に収納され前記キャップ１の小径円筒部１ａを被冠して配置される開閉蓋２に設けられたねじ部２ａに対して進退自在にねじ着されて、さらに前記キャップ１の小径円筒部１ａの内部にはガイド突起１ｄを備えており、前記押圧キャップ４の外周側面に設けられた溝部４ａに前記ガイド突起１ｄが勘合することで、前記押圧キャップ４の回転が規制され、前記開閉蓋２を回動することにより前記押圧キャップ４を下方に押し下げ、前記収納容器３の押圧棒３ａが押圧され底面３ｄの機械的弱点部３ｅを破断して開口させて、収納容器３の混合物５を飲料水１１中に落下させるようにしたことを特徴とする飲料容器のキャップ構造である。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１３
【補正方法】変更
【補正の内容】
【００１３】
そして、混合物５と飲料水１１を混合するには、開封蓋２を回すだけの簡単な操作で行うことができ、混合後は請求項2の構成においては前記キャップ１の下端部１ｇと前記押圧キャップ４の密閉部４ｅとが密着することで液漏れがせず、さらに収納容器３の開口部３ｃが大きく開くため混合物５が全て飲料水１１に落下混合し、いつでも淹れたての美味しいお茶を味わうことができる。
【手続補正７】
【補正対象書類名】明細書
【補正対象項目名】００１６
【補正方法】変更
【補正の内容】
【００１６】
本発明の実施例として混合物５に臼で挽いて粉末状にした粉末茶５を使用した場合の例を図１から図７を用いて説明する。なお混合物５としては粉末状、顆粒状或いは液体状のものを使用することができる。
図１に示すように、ペットボトル等からなる飲料容器の本体１０の中にはミネラルウォータ等の飲料水１１が収納され、本体の瓶口１０ａの外周面に形成されているねじ部１０ｂには、キャップ１が着脱自在にねじ着結合されている。
【手続補正８】
【補正対象書類名】明細書
【補正対象項目名】００２０
【補正方法】変更
【補正の内容】
【００２０】
さらに、小径円筒部１ａと大径円筒部１ｂの結合部における壁１ｆの断面形状は下側へと狭くなるテーパ形状の下端部１ｇが円周状に設けられ、前記壁１ｆの下面側には収納容器の係止部を係止する爪部１ｈが円周方向に４箇所設けられている。
また、大径円筒部１ｂの外周面には図示しないローレット等のすべり止め加工がされている。
【手続補正９】
【補正対象書類名】明細書
【補正対象項目名】００２１
【補正方法】変更
【補正の内容】
【００２１】
図１、及び図２に示す開閉蓋２は、下面が開口し上面の中心部に下方へ突起しているねじ部２ａを備えた略円筒形状のポリプロピレン樹脂（ＰＰ）の合成樹脂からなり、前記開閉蓋２の円筒部内周面下端部には前記キャップ１の小径円筒部１ａに設けられた係止用突起部１ｅに勘合する係止部２ｂが設けられており、前記開閉蓋２をキャップ１の小径円筒部１ａを覆うように取付けた際、係止部２ｂがキャップ１の係止用突起１ｅに係止されて、開閉蓋が上方へと外れることを防止するとともに円周方向のみへの回転を可能にしている。
なお開閉蓋２の外周側面にはローレット等のすべり止め加工がされている。
【手続補正１０】
【補正対象書類名】明細書
【補正対象項目名】００２７
【補正方法】変更
【補正の内容】
【００２７】
なお押圧棒３ａは底面３ｄに対して一体で形成されており、押圧キャップ４からの押し圧を底面３ｄの機械的弱点部３ｅに効率よく伝達できるようになっている。さらに、前記収納容器３の底面には前記キャップ１から容易に取外しができるようにつまみ部３ｆが設けられている。
【手続補正１１】
【補正対象書類名】明細書
【補正対象項目名】００２８
【補正方法】変更
【補正の内容】
【００２８】
また、収納容器３の内部には粉末茶５を収納するための収納部３ｇが設けられ、前記収納容器３の上面の外周面部には円周状に４箇所設けられた係止部３ｈを備えており、前記係止部３ｈがキャップ１に設けられた爪部１ｈに係止されて本体の瓶口上面に図示しないパッキン等のシール部材を介して当接され、収納容器３が瓶口１０ａ内部に収納されるようになっている。
【手続補正１２】
【補正対象書類名】明細書
【補正対象項目名】００３２
【補正方法】変更
【補正の内容】
【００３２】
開閉蓋２の回転により、押圧キャップ４は前記押圧キャップ４に設けられたガイド溝４ａによりキャップ１の小径円筒部１ａに設けられたガイド突起１ｄ沿って下方に移動し、収納容器３に設けられた押圧棒３ａを下方に押し圧することで収納容器３の底面３ｄにおける機械的弱点部３ｅを破壊する。
これにより図２に示すように収納容器３内の粉末茶５はその破壊に伴って破壊した開口部３ｃから飲料水１１内に落下する。
【手続補正１３】
【補正対象書類名】明細書
【補正対象項目名】００３８
【補正方法】削除
【補正の内容】
【手続補正１４】
【補正対象書類名】明細書
【補正対象項目名】００３９
【補正方法】削除
【補正の内容】
【手続補正１５】
【補正対象書類名】明細書
【補正対象項目名】００４０
【補正方法】削除
【補正の内容】
【手続補正１６】
【補正対象書類名】明細書
【補正対象項目名】００４１
【補正方法】削除
【補正の内容】
【手続補正１７】
【補正対象書類名】明細書
【補正対象項目名】００４２
【補正方法】削除
【補正の内容】
【手続補正１８】
【補正対象書類名】明細書
【補正対象項目名】００４３
【補正方法】削除
【補正の内容】
【手続補正１９】
【補正対象書類名】明細書
【補正対象項目名】００４４
【補正方法】変更
【補正の内容】
【００４４】
さらに実施例においてはキャップ１、開閉蓋２の外側に不正操作防止を行うために、帯状やシート状などの図示しない開封確認部材を被着させて開閉蓋２の操作有無を確認できるようにしてもよい。
【手続補正２０】
【補正対象書類名】明細書
【補正対象項目名】００４７
【補正方法】変更
【補正の内容】
【００４７】
【図１】本願発明の第１実施例を示す説明図である。
【図２】本願発明の第１実施例の混合状態を示す説明図である。
【図３】キャップを示す説明図である（ａ）平面図（ｂ）断面図（ｃ）底面図
【図４】押圧キャップを示す説明図である。（ａ）平面図（ｂ）断面図（ｃ）底面図
【図５】収納容器を示す説明図である。（ａ）平面図（ｂ）断面図
【手続補正２１】
【補正対象書類名】明細書
【補正対象項目名】００４８
【補正方法】変更
【補正の内容】
【００４８】
１      キャップ
１ａ    小径円筒部
１ｂ    大径円筒部
１ｃ    ねじ部
１ｄ    ガイド突起
１ｅ    係止用突起
１ｆ    壁
１ｇ    下端部
１ｈ    爪部
２      開閉蓋
２ａ    ねじ部
２ｂ    係止部
３      収納容器
３ａ    押圧棒
３ｂ    シール部材
３ｃ    開口部
３ｄ    底面
３ｅ    機械的弱点部
３ｆ    つまみ部          
３ｇ    収納部
３ｈ    係止部              
４      押圧キャップ
４ａ    ガイド溝
４ｂ    大径円柱部
４ｃ    小径円柱部
４ｄ    ねじ部
４ｅ    密接部
４ｆ    底部
５      粉末茶
１０    本体
１１    飲料水
１２    飲料容器
【手続補正２２】
【補正対象書類名】図面
【補正対象項目名】図６
【補正方法】削除
【補正の内容】
【手続補正２３】
【補正対象書類名】図面
【補正対象項目名】図７
【補正方法】削除
【補正の内容】